【手続補正書】
【提出日】平成21年8月20日(2009.8.20)
【手続補正１】
【補正対象書類名】特許請求の範囲
【補正対象項目名】全文
【補正方法】変更
【補正の内容】
【特許請求の範囲】
【請求項１】
１または複数の顔を含む画像を同一サイズを有する複数の小領域に分割する画像分割装置において、
前記画像の分割数の指定を受け付ける分割数指定手段と、
前記画像に含まれる１または複数の顔領域を検出する顔領域検出手段と、
前記小領域の境界が、前記画像における主たる顔領域であるメイン顔領域の位置とは異なる位置となるように、前記画像における分割領域および分割位置を設定する第１の分割設定手段と、
前記メイン顔領域に含まれる顔パーツを検出する顔パーツ検出手段と、
前記小領域の境界が、前記メイン顔領域に含まれる前記顔パーツの位置とは異なる位置となるように、前記画像における分割領域および分割位置を設定する第２の分割設定手段と、
前記画像の全体を前記指定された分割数により分割することにより得られる小領域のサイズが前記メイン顔領域のサイズよりも大きいか否かを判定する判定手段と、
該判定が肯定された場合に前記第１の分割設定手段により前記分割領域および前記分割位置を設定し、該判定が否定された場合に前記第２の分割設定手段により前記分割領域および前記分割位置を設定するよう、前記第１の分割設定手段、前記顔パーツ検出手段、および前記第２の分割設定手段を制御する制御手段とを備え、
前記第１の分割設定手段は、前記複数の小領域からなる分割範囲を、前記画像全体のサイズと一致する初期サイズから、前記小領域の幅および高さが前記メイン顔領域のサイズ以下となる最終サイズとなるまで段階的に小さくしつつ、各サイズによる前記分割範囲を前記画像上の走査開始位置から走査終了位置まで走査させ、各走査位置において、前記分割範囲が前記画像からはみ出すブランク領域の面積、前記小領域の境界が前記メイン顔領域を分断する分断数および前記分割範囲の面積に基づく評価値を算出し、該評価値が最小となった走査位置における前記分割範囲および前記小領域の境界を、それぞれ前記分割領域および前記分割位置として設定する手段である画像分割装置。
【請求項２】
前記第２の分割設定手段は、前記複数の小領域からなる分割範囲を、前記画像全体のサイズと一致する初期サイズから、前記分割範囲の幅および高さが前記メイン顔領域のサイズ以下となる最終サイズとなるまで段階的に小さくしつつ、各サイズによる前記分割範囲を前記画像上の走査開始位置から走査終了位置まで走査させ、各走査位置において、前記分割範囲が前記画像からはみ出すブランク領域の面積、前記小領域の境界が前記顔パーツを分断する分断数および前記分割範囲の面積に基づく評価値を算出し、該評価値が最小となった走査位置における前記分割範囲および前記小領域の境界を、それぞれ前記分割領域および前記分割位置として設定する手段である請求項１記載の画像分割装置。
【請求項３】
前記画像が複数の顔を含む場合に、前記複数の顔領域から前記メイン顔領域を選択するメイン顔領域選択手段をさらに備えた請求項１または２記載の画像分割装置。
【請求項４】
前記画像が複数の顔を含む場合に、前記複数の顔領域からの前記メイン顔領域の選択を受け付けるメイン顔領域選択受付手段をさらに備えた請求項１または２記載の画像分割装置。
【請求項５】
前記画像を前記設定した分割領域および分割位置を表す境界線とともに表示する表示手段と、
前記分割数、前記分割領域および／または前記分割位置の修正指示を受け付ける修正指示手段とをさらに備えた請求項１から４のいずれか１項記載の画像分割装置。
【請求項６】
１または複数の顔を含む画像を同一サイズを有する複数の小領域に分割する画像分割方法において、
前記画像の分割数の指定を受け付け、
前記画像に含まれる１または複数の顔領域を検出し、
前記画像の全体を前記指定された分割数により分割することにより得られる小領域のサイズが前記メイン顔領域のサイズよりも大きいか否かを判定し、
該判定が肯定された場合に、前記小領域の境界が前記画像におけるメイン顔領域の位置とは異なる位置となるように、前記画像における第１分割領域および第１分割位置を設定する第１領域分割処理を行い、該判定が否定された場合に、前記メイン顔領域に含まれる顔パーツを検出し、前記小領域の境界が前記メイン顔領域に含まれる前記顔パーツの位置とは異なる位置となるように、前記画像における第２分割領域および第２分割位置を設定する第２領域分割処理を行うものであり、
前記第１領域分割処理が、
前記複数の小領域からなる分割範囲を、前記画像全体のサイズと一致する初期サイズから、前記小領域の幅および高さが前記メイン顔領域のサイズ以下となる最終サイズとなるまで段階的に小さくしつつ、各サイズによる前記分割範囲を前記画像上の走査開始位置から走査終了位置まで走査させ、各走査位置において、前記分割範囲が前記画像からはみ出すブランク領域の面積、前記小領域の境界が前記メイン顔領域を分断する分断数および前記分割範囲の面積に基づく評価値を算出し、該評価値が最小となった走査位置における前記分割範囲および前記小領域の境界を、それぞれ前記第１分割領域および前記第１分割位置として設定する画像分割方法。
【請求項７】
前記第２領域分割処理が、
前記複数の小領域からなる分割範囲を、前記画像全体のサイズと一致する初期サイズから、前記分割範囲の幅および高さが前記メイン顔領域のサイズ以下となる最終サイズとなるまで段階的に小さくしつつ、各サイズによる前記分割範囲を前記画像上の走査開始位置から走査終了位置まで走査させ、各走査位置において、前記分割範囲が前記画像からはみ出すブランク領域の面積、前記小領域の境界が前記顔パーツを分断する分断数および前記分割範囲の面積に基づく評価値を算出し、該評価値が最小となった走査位置における前記分割範囲および前記小領域の境界を、それぞれ前記第２分割領域および前記第２分割位置として設定する請求項６記載の画像分割方法。
【請求項８】
前記画像が複数の顔を含む場合に、前記複数の顔領域から前記メイン顔領域を選択する請求項６または７記載の画像分割方法。
【請求項９】
前記画像が複数の顔を含む場合に、前記複数の顔領域から入力手段を介して指定された前記メイン顔領域を選択する請求項６または７記載の画像分割方法。
【請求項１０】
前記画像を前記設定した分割領域および分割位置を表す境界線とともに表示部に表示するとともに、前記分割数、前記分割領域および／または前記分割位置の修正指示を受け付ける請求項６から９のいずれか１項記載の画像分割方法。
【請求項１１】
コンピュータに、１または複数の顔を含む画像を同一サイズを有する複数の小領域に分割する画像分割プログラムにおいて、
前記画像の分割数の指定を受け付け、
前記画像に含まれる１または複数の顔領域を検出し、
前記画像の全体を前記指定された分割数により分割することにより得られる小領域のサイズが前記メイン顔領域のサイズよりも大きいか否かを判定し、
該判定が肯定された場合に、前記小領域の境界が前記画像におけるメイン顔領域の位置とは異なる位置となるように、前記画像における第１分割領域および第１分割位置を設定する第１領域分割処理を行い、該判定が否定された場合に、前記メイン顔領域に含まれる顔パーツを検出し、前記小領域の境界が前記メイン顔領域に含まれる前記顔パーツの位置とは異なる位置となるように、前記画像における第２分割領域および第２分割位置を設定する第２領域分割処理を行うものであり、
前記第１領域分割処理が、
前記複数の小領域からなる分割範囲を、前記画像全体のサイズと一致する初期サイズから、前記小領域の幅および高さが前記メイン顔領域のサイズ以下となる最終サイズとなるまで段階的に小さくしつつ、各サイズによる前記分割範囲を前記画像上の走査開始位置から走査終了位置まで走査させ、各走査位置において、前記分割範囲が前記画像からはみ出すブランク領域の面積、前記小領域の境界が前記メイン顔領域を分断する分断数および前記分割範囲の面積に基づく評価値を算出し、該評価値が最小となった走査位置における前記分割範囲および前記小領域の境界を、それぞれ前記第１分割領域および前記第１分割位置として設定する
ことを実行させるための画像分割プログラム。
【請求項１２】
前記第２領域分割処理が、
前記複数の小領域からなる分割範囲を、前記画像全体のサイズと一致する初期サイズから、前記分割範囲の幅および高さが前記メイン顔領域のサイズ以下となる最終サイズとなるまで段階的に小さくしつつ、各サイズによる前記分割範囲を前記画像上の走査開始位置から走査終了位置まで走査させ、
各走査位置において、前記分割範囲が前記画像からはみ出すブランク領域の面積、前記小領域の境界が前記顔パーツを分断する分断数および前記分割範囲の面積に基づく評価値を算出し、
該評価値が最小となった走査位置における前記分割範囲および前記小領域の境界を、それぞれ前記第２分割領域および前記第２分割位置として設定する請求項１１記載の画像分割プログラム。
【請求項１３】
前記画像が複数の顔を含む場合に、前記複数の顔領域から前記メイン顔領域を選択する請求項１１または１２記載の画像分割プログラム。
【請求項１４】
前記画像が複数の顔を含む場合に、前記複数の顔領域からの前記メイン顔領域の選択を受け付ける請求項１１または１２記載の画像分割プログラム。
【請求項１５】
前記画像を前記設定した分割領域および分割位置を表す境界線とともに表示部に表示するとともに、前記分割数、前記分割領域および／または前記分割位置の修正指示を受け付ける請求項１１から１４のいずれか１項記載の画像分割プログラム。